(57)【要約】【課題】多数の画像データの中から利用価値の高い重要な画像データを簡単に選択できるようにする表示プログラム及び画像データの表示方法の提供。【解決手段】コンピュータを、複数の画像データの各々について、該画像データを用いて行われた各々の作業に対して予め設定された重要度を表す指標を加算、又は、該指標に各々の作業を行った回数を掛け合わせた数値を加算して評価値を算出し、該評価値に基づいて複数の画像データの表示順位を設定して登録する順位付け手段１６、登録された表示順位又は評価値を参照して、表示順位が所定の範囲内又は評価値が所定の値以上の画像データを選択し、表示順位に従って、選択した画像データに基づく画像を表示手段に表示させる表示制御手段１７として機能させる。これにより、多数の画像データの中から利用価値の高い重要な画像データを簡単に選択することができる。【選択図】図６
2007135065.tif 000002
【特許請求の範囲】
【請求項１】
コンピュータを、
複数の画像データの各々について、該画像データを用いて実行した各々の作業に対して予め設定された重要度を表す指標を加算して評価値を算出し、該評価値に基づいて前記複数の画像データの表示順位を設定し、データベースに登録する順位付け手段、
前記データベースを参照して、前記複数の画像データの中から前記表示順位が所定の順位以上又は前記評価値が所定の値以上の画像データを選択し、選択した前記画像データに基づく画像を前記表示順位に従って表示手段に表示させる表示制御手段、として機能させることを特徴とする表示プログラム。
【請求項２】
コンピュータを、
複数の画像データの各々について、該画像データを用いて実行した各々の作業に対して予め設定された重要度を表す指標と前記各々の作業を実行した回数とを掛け合わせた数値を加算して評価値を算出し、該評価値に基づいて前記複数の画像データの表示順位を設定し、データベースに登録する順位付け手段、
前記データベースを参照して、前記複数の画像データの中から前記表示順位が所定の順位以上又は前記評価値が所定の値以上の画像データを選択し、選択した前記画像データに基づく画像を前記表示順位に従って表示手段に表示させる表示制御手段、として機能させることを特徴とする表示プログラム。
【請求項３】
前記表示制御手段では、前記表示順位又は前記評価値を選択させるためのタグを表示し、前記複数の画像データの中から、選択された前記タグで規定される前記表示順位又は前記評価値の画像データを選択し、選択した前記画像データに基づく画像を前記表示順位に従って前記表示手段に表示させることを特徴とする請求項１又は２に記載の表示プログラム。
【請求項４】
前記順位付け手段では、ユーザ毎に前記複数の画像データの表示順位を設定し、設定した表示順位を前記ユーザを特定する情報に対応付けて前記データベースに登録することを特徴とする請求項１乃至３のいずれか一に記載の表示プログラム。
【請求項５】
複数の画像データに基づく画像を表示手段に表示する方法であって、
前記複数の画像データの各々について、該画像データを用いて実行した各々の作業に対して予め設定された重要度を表す指標を加算して評価値を算出し、該評価値に基づいて前記複数の画像データの表示順位を設定し、データベースに登録する順位付けステップと、
前記データベースを参照して、前記複数の画像データの中から前記表示順位が所定の順位以上又は前記評価値が所定の値以上の画像データを選択し、選択した前記画像データに基づく画像を前記表示順位に従って前記表示手段に表示する表示ステップと、を少なくとも有することを特徴とする画像データの表示方法。
【請求項６】
複数の画像データに基づく画像を表示手段に表示する方法であって、
前記複数の画像データの各々について、該画像データを用いて実行した各々作業に対して予め設定された重要度を表す指標と前記各々の作業を実行した回数とを掛け合わせた数値を加算して評価値を算出し、該評価値に基づいて前記複数の画像データの表示順位を設定し、データベースに登録する順位付けステップと、
前記データベースを参照して、前記複数の画像データの中から前記表示順位が所定の順位以上又は前記評価値が所定の値以上の画像データを選択し、選択した前記画像データに基づく画像を前記表示順位に従って前記表示手段に表示する表示ステップと、を少なくとも有することを特徴とする画像データの表示方法。
【請求項７】
前記表示ステップでは、前記表示順位又は前記評価値を選択させるためのタグを表示し、前記複数の画像データの中から、選択された前記タグで規定される前記表示順位又は前記評価値の画像データを選択し、選択した前記画像データに基づく画像を前記表示順位に従って前記表示手段に表示することを特徴とする請求項５又は６に記載の画像データの表示方法。
【請求項８】
前記順位付けステップでは、ユーザ毎に画像データの表示順位を設定し、設定した表示順位を前記ユーザを特定する情報に対応付けて前記データベースに登録することを特徴とする請求項５乃至７のいずれか一に記載の画像データの表示方法。
【発明の詳細な説明】
【技術分野】
【０００１】
本発明は、画像データを表示するための表示プログラム及び画像データの表示方法に関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた無人端末（キオスク）や店頭端末などを操作することによって、デジタルカメラやメディアに記録された画像データをＣＤ−Ｒ、ＤＶＤ−Ｒなどの記録媒体に書き込むことができる。
【０００３】
また、デジタルカメラやメディアから読み取った画像データに加えて、これらの画像データを用いてスライドショーを作成したり写真プリントを作成するなどの各種作業を行うためのプログラムや、記録媒体に記録された画像データをコンピュータ機器のハードディスクなどにバックアップするためのプログラムなどをＣＤ−ＲやＤＶＤ−Ｒなどの記録媒体に書き込むこともできる。例えば、下記特許文献１には、画像データとスライドショープログラムとを記録媒体に記録するシステムが開示されている。
【０００４】
【特許文献１】特開２００３−２８８０９４号公報（第５−１３頁、第１図）
【発明の開示】
【発明が解決しようとする課題】
【０００５】
ここで、記録媒体やハードディスクなどに記録された画像データの中の所望の画像データに対して各種作業を行う場合、画像データの数量が少なければ、全ての画像データを表示させ、その中から所望の画像データを選択すればよいが、画像データの数量が多い場合には、表示された画像データの中から所望の画像データを選択するのは容易ではない。特に、写真撮影を頻繁に行うユーザの場合、画像データの数量は膨大になるため、上記問題が顕著に現れる。
【０００６】
一方、記録媒体やハードディスクなどに記録された画像データの中には頻繁に使用されるものもあれば、ほとんど使用されないものもあり、頻繁に使用されるものが優先的に表示された方が便利である。そこで、画像データの使用履歴を記憶しておき、この使用履歴に基づいて画像データの表示順位を設定する方法もある。
【０００７】
ここで、画像データに対して行う作業は、スライドショーを表示したり、写真プリントやポストカード、カレンダーなどを作成したり、モニタの壁紙に使用したり、電子メールに添付するなど様々であり、各々の作業の重要度は異なる。例えば、スライドショーとして表示する作業に比べて、写真プリントを作成する作業の方が一般的に重要度は高く、より重要な作業に使用された画像データの方がより利用価値の高い画像データであると言える。
【０００８】
しかしながら、従来は、単に画像データを表示するだけか、若しくは、作業の重要度を考慮せずに使用履歴のみに基づいて画像データを表示するだけであったため、多数の画像データの中から利用価値の高い重要な画像データを選択するのが難しいという問題があった。
【０００９】
本発明は、上記問題点に鑑みてなされたものであって、その主たる目的は、多数の画像データの中から利用価値の高い重要な画像データを簡単に選択することができる表示プログラム及び画像データの表示方法を提供することにある。
【課題を解決するための手段】
【００１０】
上記目的を達成するため、本発明の表示プログラムは、コンピュータを、複数の画像データの各々について、該画像データを用いて実行した各々の作業に対して予め設定された重要度を表す指標を加算して評価値を算出し、該評価値に基づいて前記複数の画像データの表示順位を設定し、データベースに登録する順位付け手段、前記データベースを参照して、前記複数の画像データの中から前記表示順位が所定の順位以上又は前記評価値が所定の値以上の画像データを選択し、選択した前記画像データに基づく画像を前記表示順位に従って表示手段に表示させる表示制御手段、として機能させるものである。
【００１１】
また、本発明の表示プログラムは、コンピュータを、複数の画像データの各々について、該画像データを用いて実行した各々の作業に対して予め設定された重要度を表す指標と前記各々の作業を実行した回数とを掛け合わせた数値を加算して評価値を算出し、該評価値に基づいて前記複数の画像データの表示順位を設定し、データベースに登録する順位付け手段、前記データベースを参照して、前記複数の画像データの中から前記表示順位が所定の順位以上又は前記評価値が所定の値以上の画像データを選択し、選択した前記画像データに基づく画像を前記表示順位に従って表示手段に表示させる表示制御手段、として機能させるものである。
【００１２】
本発明においては、前記表示制御手段では、前記表示順位又は前記評価値を選択させるためのタグを表示し、前記複数の画像データの中から、選択された前記タグで規定される前記表示順位又は前記評価値の画像データを選択し、選択した前記画像データに基づく画像を前記表示順位に従って前記表示手段に表示させる構成とすることができる。
【００１３】
また、本発明においては、前記順位付け手段では、ユーザ毎に前記複数の画像データの表示順位を設定し、設定した表示順位を前記ユーザを特定する情報に対応付けて前記データベースに登録する構成とすることができる。
【００１４】
また、本発明の方法は、複数の画像データに基づく画像を表示手段に表示する方法であって、前記複数の画像データの各々について、該画像データを用いて実行した各々の作業に対して予め設定された重要度を表す指標を加算して評価値を算出し、該評価値に基づいて前記複数の画像データの表示順位を設定し、データベースに登録する順位付けステップと、前記データベースを参照して、前記複数の画像データの中から前記表示順位が所定の順位以上又は前記評価値が所定の値以上の画像データを選択し、選択した前記画像データに基づく画像を前記表示順位に従って前記表示手段に表示する表示ステップと、を少なくとも有するものである。
【００１５】
また、本発明の方法は、複数の画像データに基づく画像を表示手段に表示する方法であって、前記複数の画像データの各々について、該画像データを用いて実行した各々作業に対して予め設定された重要度を表す指標と前記各々の作業を実行した回数とを掛け合わせた数値を加算して評価値を算出し、該評価値に基づいて前記複数の画像データの表示順位を設定し、データベースに登録する順位付けステップと、前記データベースを参照して、前記複数の画像データの中から前記表示順位が所定の順位以上又は前記評価値が所定の値以上の画像データを選択し、選択した前記画像データに基づく画像を前記表示順位に従って前記表示手段に表示する表示ステップと、を少なくとも有するものである。
【００１６】
このように、本発明では、複数の画像データの各々について、重要度を表す指標に基づいて評価値が算出され、該評価値に基づいて複数の画像データの表示順位が設定され、表示順位が所定の順位以上又は評価値が所定の数値以上の画像データが選択されて、その表示順位で表示されるため、多数の画像データの中から利用価値の高い重要な画像データを簡単に選択することができる。
【発明の効果】
【００１７】
本発明の表示プログラム及び画像データの表示方法によれば、多数の画像データの中から利用価値の高い重要な画像データを簡単に選択することができる。
【００１８】
その理由は、複数の画像データの各々について、該画像データを用いて行われた各々の作業に対して予め設定された重要度を表す指標を加算、又は該指標と各々の作業を行った回数とを掛け合わせた数値を加算して評価値が算出され、該評価値に基づいて複数の画像データの表示順位が設定されてデータベースに登録され、そのデータベースを参照して、複数の画像データの中から表示順位が所定の順位以上又は評価値が所定の数値以上の画像データが選択され、選択された画像データに基づく画像が設定された表示順位に従って表示手段に表示されるからである。
【発明を実施するための最良の形態】
【００１９】
本発明に係る表示プログラムは、その好ましい一実施の形態において、コンピュータを、複数の画像データの各々について、該画像データを用いて行われた各々の作業に対して予め設定された重要度を表す指標を加算、又は、該指標と各々の作業を行った回数とを掛け合わせた数値を加算して評価値を算出し、該評価値に基づいて複数の画像データの表示順位を設定してデータベースに登録する順位付け手段、登録されたデータベースを参照して、複数の画像データの中から表示順位が所定の順位以上又は評価値が所定の値以上の画像データを選択し、選択した画像データに基づく画像を表示順位に従って表示手段に表示させる表示制御手段として機能させる。これにより、多数の画像データの中から利用価値の高い重要な画像データを簡単に選択することができる。
【実施例】
【００２０】
上記実施形態について詳細に説明すべく、本発明の一実施例に係る表示プログラム及び画像データの表示方法について、図１乃至図１６を参照して説明する。図１は、本実施例に係る制御装置の構成を模式的に示す図であり、図２乃至図５は、そのバリエーションを示す図である。また、図６は、制御装置の手段を示すブロック図であり、図７及び図８は、本実施例に係る制御装置を用いた処理の手順を示すフローチャート図である。また、図９は、記録媒体におけるデータの記録構造を示す図であり、図１０は、記録媒体（ＣＤ−Ｒ）の構造を模式的に示す図である。また、図１１乃至図１３は、制御装置の表示手段に表示される画面構成例を示す図であり、図１４乃至図１６は、記憶手段に記憶されるテーブルの構成例を示す図である。
【００２１】
図１に示すように、本実施例の制御装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２と、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３と、インターネットなどの通信ネットワーク１１を介してサーバ１２に接続するネットワーク接続部と、ハードディスク１０などの記憶手段と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ＬＣＤ、ＣＲＴ等の表示手段５と、ボタン、キーボード、マウス等の操作手段６などを備えている。
【００２２】
また、図６に示すように、本実施例の制御装置１は、上記手段に加えて、メディア装填部２や機器接続部３、ネットワーク接続部などを用いて画像データ（静止画像データ、動画データ、画像情報を含むデータを総称して画像データと呼ぶ。）を読み取るデータ入力手段１３と、読み取った画像データに基づいて、ＤＶＤプレーヤやＤＶＤレコーダ、ＨＤＤレコーダ、ゲーム機などの家電機器で再生可能なデータ（以下、家電機器用データと呼ぶ。）を生成したり、サムネイル画像データやスクリーンネイル画像データなどの縮小画像データを生成するデータ生成手段１４と、記録媒体装填部４に装填された記録媒体９やハードディスク１０、サーバ１２などの記録先に画像データや家電機器用データなどを記録する記録制御手段１５と、複数の画像データの各々について、該画像データを用いて行った各々の作業に対して予め設定された重要度を表す指標に基づいて評価値を算出し、該評価値に基づいて複数の画像データの表示順位を設定し、データベースに登録する順位付け手段１６と、データベースを参照して、複数の画像データの中から表示順位が所定の順位以上又は評価値が所定の値以上の画像データを選択し、選択した画像データに基づく画像を表示順位に従って表示手段５に表示させる表示制御手段１７などを備えている。
【００２３】
なお、上記各手段は制御装置１にハードウェアとして構成されていてもよいが、コンピュータを、順位付け手段１６及び表示制御手段１７として機能させる表示プログラムとして構成し、該プログラムを制御装置１上で機能させる構成としてもよい。
【００２４】
また、図１では、制御装置１で画像データの記録と、画像データを用いた作業や画像データに基づく画像の表示とを行う構成としているが、これらを別々の装置で実行させる構成としてもよい。また、制御装置１の形態は任意であり、例えば、図２に示すように専用のセットトップボックスとしたり、図３に示すようにポータブルライターとしたり、図４に示すように演算処理機能を備えたＤＶＤレコーダやＨＤＤレコーダなどとしたり、図５に示すように、ハードディスクを備えた端末と画像データの読み取りや書き込みを行う本体とが分離可能な携帯機器としたり、演算処理機能を備えたカーナビゲーション機器などとすることもできる。
【００２５】
次に、本実施例の制御装置１を用いた処理の手順について説明するが、本発明の理解を容易にするために、まず、本実施例の制御装置１を用いて画像データを所定の記録先に記録する手順について、図７のフローチャート図を参照して説明する。
【００２６】
まず、ステップＳ１０１で、制御装置１のメディア装填部２にメディア８を装填、又は、機器接続部３にデジタルカメラ７などを接続すると、ステップＳ１０２で、データ入力手段１３は、デジタルカメラ７やメディア８などに記録された画像データを読み取る。ここで、読み取る画像データはデジタルカメラ７などで撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１２などであってもよい。
【００２７】
次に、必要に応じて、ステップＳ１０３で、データ生成手段１４を用いて、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、画像データのファイル名を予め定められたルールに従ってリネームしたり、読み取った画像データのデータサイズを縮小したサムネイル画像データやスクリーンネイル画像データなどの縮小画像データを作成する。
【００２８】
次に、ステップＳ１０４で、記録媒体装填部４に記録媒体９を装填する。この記録媒体９として市販されている任意の記録媒体を用いることができるが、特定の記録媒体に対してのみデータの記録が行われるようにしてもよく、その場合は、ステップＳ１０５で、記録媒体９の所定の領域に該記録媒体９を識別するための識別情報が記録されているかを調べ、識別情報が記録されている場合に特定の記録媒体９と判断する。この識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００２９】
ここで、一般的な記録媒体９（ＣＤ−Ｒ）の構造について、図１０を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３０】
次に、記録制御手段１５を用いて記録媒体装填部４に装填された記録媒体９に各種データを記録するが、その際、家電機器ではデータを読み込むことができる記録領域が限定されるため、家電機器用データを記録する場合は、ステップＳ１０６で、生成した家電機器用データを記録媒体９の論理アドレス領域の内周側に書き込み、必要に応じてセッションをクローズした後、ステップＳ１０７で、読み取った画像データや、必要に応じて縮小画像データ、アプリケーション、識別情報などが記述された管理データなどのコンピュータ機器用データを記録媒体９の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００３１】
上記手順で作成された記録媒体９のディレクトリ構造は図９（ａ）に示すようになり、画像データの格納場所を示すフォルダ（PS_Rollフォルダ）内に元の画像データや必要に応じて縮小画像データ、管理データ（index.pvm）などが記録され、APPLフォルダ内に必要に応じてスライドショープログラムやスライドショーの設定ファイルなどが記録され、これらでコンピュータ機器用データが構成される。また、Ｖｉｄｅｏ−ＣＤ形式のデータを生成した場合は図９（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで家電機器用データが構成され、ＤＶＤ−Ｖｉｄｅｏ形式のデータを生成した場合は図９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００３２】
なお、上記フォルダ構造やフォルダ名称、ファイル名称などは任意であるが、記録構造を認識しやすくするために、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としたり、各々の画像データを識別しやくするために、ファイル名をCCYYMMDDxxxxxx（CC：データの種別、YYMMDD：書き込み年月日を特定する数字、xxxxxx：シーケンシャル番号）などとしてもよい。
【００３３】
次に、必要に応じて、ステップＳ１０８で、記録制御手段１５を用いて、記録媒体９に記録した画像データをハードディスク１０やサーバ１２などの他の記録先にバックアップする。なお、記録媒体９に記録した画像データの全てをバックアップしてもよいし、少なくとも元の画像データを含む一部の画像データのみ（例えば、元の画像データや、元の画像データと縮小画像データ、元の画像データと家電機器用データなど）をバックアップしてもよい。
【００３４】
次に、ステップＳ１０９で、順位付け手段１６は、記録媒体９やハードディスク１０、サーバ１２などの記録先に記録した画像データを特定する情報（例えば、ファイル名、図９（ａ）の場合はOR051103000201.jpg〜OR051103000205.jpgなど）を図１４に示すようなテーブルに記述してデータベースに登録する。このテーブルには、複数の画像データの各々のファイル名と、画像データを用いて行われる作業の種別と、各々の作業に対して予め設定された重要度を表す指標（図中の×１〜×７など）が記述されており、このテーブルの情報が任意の形式のファイルやメタデータなどに記述されて記憶される。ここでは、以前に登録された画像データ（例えば、OR050815000101.jpg）に対しては、重要度の指標が”１”のスライドショーと、指標が”３”の写真プリント作成と、指標が”５”のポストカード作成と、指標が”２”のメール添付とが行われており、評価値欄には各々の作業の指標を加算した数値（以下、評価値と呼ぶ。ここでは”１１”）が記述され、その評価値が大きい順に表示順位（上記画像データの場合は”１”）が設定されている。
【００３５】
なお、図１４のテーブルは例示であり、各々の画像データに対して行われる作業の項目は適宜変更することができ、例えば、上記項目に加えて、レイアウトプリントやプリント注文などを追加することができる。また、重要度の指標は、画像データを用いる各作業が重要であるか否かを相対的に表すものであればよく、具体的な数値は適宜変更することができる。また、図では、１つのテーブルを示しているが、例えば、１つの制御装置１を複数人で使用する場合もあり、上記画像データの順位付けは個々のユーザに対して行うことが好ましいことから、そのような場合は、ユーザ毎に上記テーブルを作成してユーザＩＤなどに対応付けて登録しておき、任意のステップでユーザＩＤを入力させ、ユーザＩＤに対応するテーブルに対して画像データの順位付けを行えばよい。
【００３６】
次に、上記手順で所定の記録先に記録された画像データを表示する手順について、図８のフローチャート図を参照して説明する。
【００３７】
まず、ステップＳ２０１で、本実施例の表示プログラムを起動し、必要に応じて、記録媒体装填部４に上記手順で作成した記録媒体９を装填する。
【００３８】
ここで、従来の表示プログラムでは、表示手段５に、例えば、図１７に示すような画像表示画面１８を表示し、タグ表示欄１９のアルバム表示欄で選択したアルバム（例えば、装填した記録媒体９に記録されたアルバムやハードディスク１０に予め登録されたアルバム）の画像データを一覧表示欄２０にファイル名順などで一覧表示するだけであったため、多数の画像データの中から重要な画像データを選択する場合には、各々のアルバムに記録された全ての画像データを確認しなければならず、重要な画像データを簡単に選択することができないという問題があった。
【００３９】
そこで、本実施例では、重要な画像データを簡単に選択できるようにするために、ステップＳ２０２で、表示制御手段１７は、予め登録されたデータベースを参照して、複数の画像データに対して設定された表示順位を識別し、ステップＳ２０３で、その表示順位に基づいて画像データを表示する。
【００４０】
具体的には、データベースには、図１４に示すテーブルが登録されており、表示制御手段１７は、上記テーブルの記述を参照して、予め登録されている画像データの表示順位を取得し、表示手段５に、図１１（ａ）に示すような画像表示画面１８を表示する。この画像表示画面１８には、表示する画像データ群を選択するためのタグ表示欄１９と、複数の画像データを一覧表示する一覧表示欄２０と、選択した画像データを用いて行う作業を選択するための作業メニュー欄２１とが設けられている。また、タグ選択欄１９には、順位付け手段１６で設定した表示順位で画像データを表示する順位表示欄が設けられており、その中には、画像データを何番目の表示順位まで表示するかを選択するタグ（ここでは、１０番目の表示順位まで表示する”ＴＯＰ１０”、２０番目の表示順位まで表示する”ＴＯＰ２０”など）が設けられている。
【００４１】
そして、例えば、その中から”ＴＯＰ１０”を選択すると、表示制御手段１７は記録媒体９やハードディスク１０に記録された複数の画像データの中から表示順位が１〜１０番の画像データを選択し、選択した画像データに基づく画像（動画データの場合は先頭画像などの所定の部分の画像）をその表示順位に基づいた配列で一覧表示欄２０に表示する。例えば、図１４の構成の場合は、ファイル名が”OR050815000101.jpg”の画像データの表示順位が１番であることから一覧表示欄２０の左上に表示し、以下同様に、所定の表示順位まで画像データを表示する。その際、図７のフローチャート図に従って作成した記録媒体９に記録された画像データに対してはまだ作業が行われていないため、評価値は”０”であり、表示順位は設定されていない（又は表示順位が低い）ため、この段階では一覧表示欄２０には表示されない。
【００４２】
なお、図では各々の画像データを識別しやすいように、ファイル名の下３桁の数字を画像の右上に表示し、画像データ群毎（ここでは2005/11/3の画像データ群、2005/8/15の画像データ群、2004/10/10の画像データ群）に異なるハッチングを施している。また、図１１（ａ）ではタグ表示欄１９に画像データを何番目の表示順位まで表示するかを選択するタグを表示したが、例えば、評価値が所定の数値以上の画像データのみを表示するようにしてもよく、その場合は、図１１（ｂ）に示すように、評価値の最低値に応じたレベル（例えば、評価値が”１０”以上の画像データを表示する場合はレベル５、評価値が”５”以上の画像データを表示する場合はレベル４など）を選択するタグを表示する構成としてもよい。
【００４３】
このように、画像表示画面１８のタグ表示欄１９に順位表示欄を設け、順位付け手段１６で設定した表示順位に基づいて選択された画像データに基づく画像をその表示順位に従って表示することにより、ユーザは予め登録された画像データの中から重要度の高い画像データを容易に選択することができ、単にアルバム毎に画像データを表示したり、使用頻度の高い順に画像データを表示する場合に比べて、ユーザの利便性を格段に向上させることができる。
【００４４】
次に、画像表示画面１８の一覧表示欄２０に表示された画像データの中から作業を行う画像データを選択する。例えば、図７のフローチャートで作成した記録媒体９に記録された画像データに対して作業を行う場合は、ステップＳ２０４で、タグ表示欄１９のアルバム表示欄の中から、タイトルや作成年月日などを参照して上記記録媒体９に対応するタグを選択して一覧表示欄２０に画像データを表示させ、操作手段６を用いて、その中から所望の画像データを選択する。
【００４５】
次に、ステップＳ２０５で、図１４のテーブルに記述した各種作業に対応するアイコンが表示されている作業メニュー欄２１の中から、選択した画像データに対して行う作業を選択すると、ステップＳ２０６で、選択した画像データに対して選択した作業が実行される。例えば、ファイル名が”OR051103000201.jpg〜OR051103000205.jpg”の画像データに対して”スライドショー”の作業を実行し、ファイル名が”OR051103000201.jpg〜OR051103000203.jpg”の画像データに対して”プリント”の作業を実行する。
【００４６】
次に、ステップＳ２０７で、順位付け手段１６は、テーブル中の選択した画像データ及び選択した作業に対応する欄に、予め設定された重要度の指標を記述する。例えば、上記例では、ファイル名が”OR051103000201.jpg”の画像データに対して、作業名が”スライドショー”の場所に”１”を記述し、作業名が”プリント”の場所に”３”を記述する。これにより、図１４のテーブルは図１５に示すようになり、指標を加算した評価値が変化するため、新たな評価値に基づいて順位付けを実行し、その結果を表示順位欄に記述してハードディスク１０に記憶する。
【００４７】
次に、ステップＳ２０８で、次の作業を行うか否かをユーザに選択させ、次の作業を行う場合は、再度、画像表示画面１８に画像データを表示する。その際、表示制御手段１７は、ステップＳ２０２で更新されたデータベースを参照して新たな表示順位に基づいて画像データを選択するため、ステップＳ２０３では、新たな表示順位で画像データが表示される。例えば、図１５のテーブルに示すように表示順位が設定された場合は、表示手段５には、図１２に示すような画像表示画面１８が表示され、記録媒体９に記録された画像データの内、ファイル名が”OR051103000201.jpg”、”OR051103000202.jpg”、”OR051103000203.jpg”の画像データがＴＯＰ１０の７〜９番目に表示され、一方、表示順位が下がった”OR041010000001.jpg”、”OR041010000004.jpg”、”OR041010000005.jpg”の画像データがＴＯＰ１０から外れることになる。
【００４８】
このように、選択した画像データに対して作業を行う毎に、順位付け手段１６で再度、評価値が算出され、その評価値に基づいて表示順位が更新されるため、ユーザはその時点で重要度の高い画像データを容易に選択することができる。
【００４９】
ここで、上記フローでは、所定の画像データに対して所定の作業を行ったか否かで評価値が設定され、その評価値に基づいて表示順位を設定しているため、例えば、同じ作業を繰り返し行う画像データとその作業を１度のみ行う画像データとが同じ表示順位に設定されてしまう。そこで、所定の作業を行ったか否かのみならず、その作業を行った回数を加味して表示順位を設定することもできる。その場合は、テーブルを図１６に示すような構成にし、各々の画像データに対する各々の作業について、各々の作業に対して予め設定された指標と、その作業を行った回数（かっこ内の数字）とを掛け合わせた数値を記述し、その数値を加算して評価値を算出し、その評価値に基づいて表示順位を設定する。
【００５０】
具体的に説明すると、例えば、ステップＳ２０４で画像データを選択し、ステップＳ２０５で作業を選択する際に、選択した画像データに対して過去に行った作業を選択した場合（例えば、ファイル名が”OR051103000201.jpg”の画像データに対して、作業名が”プリント”の作業を２回追加して行った場合）、図１６に示すように、作業に対する重要度の指標（ここでは”３”）と作業を行った合計の回数（ここでは３回）とを掛け合わせた”９”を記述する。このような演算を行うことにより、その画像データの評価値は”１１”となり、表示順位は”１”となるため、再度、ステップＳ２０３で表示する画像表示画面１８は、図１３に示すようになり、作業を繰り返し行った画像データの表示順位が繰り上がって表示される。これにより、作業回数を加味して判断した重要度の高い画像データを表示することができる。
【００５１】
このように、本実施例では、複数の画像データの各々について、画像データを用いて行った作業に対して予め設定された重要度の指標を加算、又は、指標と各々の作業を行った回数とを掛け合わせた数値を加算して評価値を算出し、その評価値に基づいて重要度に基づく表示順位が設定され、複数の画像データの中から表示順位が所定の順位以上又は評価値が所定の値以上の画像データが選択され、選択された画像データがその表示順位に従って表示手段５に表示されるため、ユーザはその画面を見るだけで重要度の高い画像データを容易に選択することができ、これにより、ユーザの利便性を格段に向上させることができる。
【００５２】
なお、上記実施例では、重要度に基づいて画像データを並び替える場合について記載したが、本発明は上記実施例に限定されるものではなく、重要度に基づいて音楽データなどの他の種類のデータを並び替える場合に対しても同様に適用することができる。
【図面の簡単な説明】
【００５３】
【図１】本発明の一実施例に係る制御装置の構成を示す外観図である。
【図２】本発明の一実施例に係る制御装置の他の構成を示す図である。
【図３】本発明の一実施例に係る制御装置の他の構成を示す図である。
【図４】本発明の一実施例に係る制御装置の他の構成を示す図である。
【図５】本発明の一実施例に係る制御装置の他の構成を示す図である。
【図６】本発明の一実施例に係る制御装置の手段を示すブロック図である。
【図７】本発明の一実施例に係る制御装置を用いたデータの記録手順を示すフローチャート図である。
【図８】本発明の一実施例に係る制御装置を用いたデータの表示手順を示すフローチャート図である。
【図９】本発明の一実施例の記録媒体の記録構造を示す図である。
【図１０】記録媒体（ＣＤ−Ｒ）の構造を模式的に示す図である。
【図１１】本発明の一実施例に係る制御装置の表示手段に表示される画面構成例を示す図である。
【図１２】本発明の一実施例に係る制御装置の表示手段に表示される画面構成例を示す図である。
【図１３】本発明の一実施例に係る制御装置の表示手段に表示される画面構成例を示す図である。
【図１４】本発明の一実施例に係る制御装置の記憶手段に記憶されるテーブルの構成例を示す図である。
【図１５】本発明の一実施例に係る制御装置の記憶手段に記憶されるテーブルの構成例を示す図である。
【図１６】本発明の一実施例に係る制御装置の記憶手段に記憶されるテーブルの構成例を示す図である。
【図１７】従来の制御装置の表示手段に表示される画面構成例を示す図である。
【符号の説明】
【００５４】
１  制御装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  ハードディスク
１１  通信ネットワーク
１２  サーバ
１３  データ入力手段
１４  データ生成手段
１５  記録制御手段
１６  順位付け手段
１７  表示制御手段
１８  画像表示画面
１９  タグ表示欄
２０  一覧表示欄
２１  作業メニュー欄
１００  ポリカーボネート基板
１０１  有機色素層
１０２  反射層
１０３  保護層
【図１】
2007135065.tif 000003
【図２】
2007135065.tif 000004
【図３】
2007135065.tif 000005
【図４】
2007135065.tif 000006
【図５】
2007135065.tif 000007
【図６】
2007135065.tif 000008
【図７】
2007135065.tif 000009
【図８】
2007135065.tif 000010
【図９】
2007135065.tif 000011
【図１０】
2007135065.tif 000012
【図１１】
2007135065.tif 000013
【図１２】
2007135065.tif 000014
【図１３】
2007135065.tif 000015
【図１４】
2007135065.tif 000016
【図１５】
2007135065.tif 000017
【図１６】
2007135065.tif 000018
【図１７】
2007135065.tif 000019